(57)【要約】【目的】発信者が無線タグを有する者と容易に通信できる通信方法、およびサービス提供者が無線タグが備え付けられている物または無線タグを有する者に関する情報を容易に提供できる情報提供方法を提供することを目的とする。【構成】無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置場所管理データベースを有する無線タグ検出器設置場所管理装置と、端末と、を有するシステムにおける通信方法において、サービス番号などの無線タグに対応した情報をもとに、当該無線タグを検出した無線タグ検出器に関連する情報を得るように構成する。【選択図】　　　　　図１
2004032587.tif 000002
【特許請求の範囲】
【請求項１】
無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器番号をキーとして前記無線タグ検出器設置箇所管理装置データベースを検索して、
当該無線タグ検出器番号と同一のレコードに格納されている電話番号またはＩＰアドレスを取得するステップと、
前記サービス番号接続装置が、前記電話番号またはＩＰアドレスを取得した場合に、前記電話番号またはＩＰアドレスを有する電話機と前記端末との音声通信を開始させるステップと、
を有することを特徴とする通信方法。
【請求項２】
無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号および無線タグ検出器設置箇所条件を含むａｎｙｃａｓｔ接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている複数の無線タグＩＤを取得するステップと、
前記サービス番号接続装置が、前記複数の無線タグＩＤを取得した場合に、前記無線タグデータベース装置にアクセスし、当該複数の無線タグＩＤをキーとして前記無線タグデータベースを検索して当該複数の無線タグＩＤと同一のレコードにそれぞれ格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器設置箇所管理装置データベース名および前記無線タグ検出器設置箇所条件をキーとして前記無線タグ検出器設置箇所管理装置データベースを検索して、当該無線タグ検出器設置箇所管理装置データベース名および前記無線タグ検出器設置箇所条件と同一のレコードに格納されている電話番号またはＩＰアドレスを取得するステップと、
前記サービス番号接続装置が、前記電話番号またはＩＰアドレスを取得した場合に、前記電話番号またはＩＰアドレスを有する電話機と前記端末との音声通信を開始させるステップと、
を有することを特徴とする通信方法。
【請求項３】
無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む位置通知要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器番号をキーとして前記無線タグ検出器設置箇所管理装置データベースを検索して、当該無線タグ検出器番号と同一のレコードに格納されている無線タグ検出器設置箇所条件および無線タグ検出器設置場所名を取得するステップと、
前記サービス番号接続装置が、前記無線タグ検出器設置箇所条件および無線タグ検出器設置場所名を取得した場合に、当該無線タグ検出器設置箇所条件および無線タグ検出器設置場所名を前記端末に送信するステップと、
を有することを特徴とする通信方法。
【請求項４】
無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器設置箇所管理装置名およびＶｏＩＰ（Ｖｏｉｃｅ　ｏｖｅｒ　ＩＰ）サーバのＩＰアドレスを取得するステップと、
前記サービス番号接続装置が、前記取得したＩＰアドレスのＶｏＩＰサーバに前記無線タグＩＤおよび前記無線タグ検出器設置箇所管理装置名を送信するステップと、
前記ＶｏＩＰサーバが、前記サービス番号接続装置から送信された前記無線タグＩＤおよび前記無線タグ検出器設置箇所管理装置名を受信した場合に、前記無線タグ検出器管理装置にアクセスして、前記無線タグ検出器管理データベースを検索して、当該無線タグＩＤと同一のレコードに格納されている無線タグ検出器番号を取得するステップと、
前記ＶｏＩＰサーバが、前記無線タグ検出器番号を取得した場合に、前記無線タグ検出器設置箇所管理装置にアクセスし、当該無線タグ検出器番号をキーとして前記無線タグ検出器設置箇所管理装置データベースを検索して、電話番号を取得するステップと、
前記ＶｏＩＰサーバが、前記電話番号を取得した場合に、前記電話番号に対応するＩＰアドレスを有する電話機と前記端末との音声通信を開始させるステップと、
を有することを特徴とする通信方法。
【請求項５】
無線タグ検出器と、無線タグ検出器管理データベースを有する無線タグ検出器管理装置と、無線タグデータベースを有する無線タグデータベース装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記無線タグ検出器設置箇所管理装置が、前記端末から送信された、無線タグ検出器設置箇所条件を含む接続要求信号を受信した場合に、当該無線タグ検出器設置箇所条件をキーとして前記無線タグ検出器設置箇所管理データベースを検索して当該無線タグ検出器設置箇所条件と同一のレコードに格納されている無線タグ検出器番号を取得し、これを前記端末に送信するステップと、
前記無線タグ検出器管理装置が、前記端末から送信された、無線タグ検出器番号を受信した場合に、当該無線タグ検出器番号をキーとして前記無線タグ検出器管理データベースを検索して当該無線タグ検出器番号と同一のレコードに格納されている無線タグＩＤを取得し、これを端末に送信するステップと、
前記無線タグデータベース装置が、前記端末から送信された、前記無線タグＩＤを受信した場合に、当該無線タグＩＤをキーとして前記無線タグデータベースを検索して当該無線タグＩＤと同一のレコードに格納されている電話番号またはＩＰアドレスを取得し、これを端末に送信するステップと、
を有することを特徴とする情報提供方法。
【請求項６】
前記無線タグ検出器設置箇所管理データベースは、前記無線タグ検出器番号、当該無線タグ検出器が備え付けられている、ビルの名、室の番号、および当該室にある電話機の電話番号またはＩＰアドレスを含むことを特徴とする請求項１〜請求項５のいずれか１項に記載の通信方法。
【請求項７】
前記無線タグ検出器設置箇所管理データベースは、前記無線タグ検出器が備え付けられている、列車の名・番号、車両番号、座席番号、および当該列車にある公衆端末の電話番号またはＩＰアドレスを含むことを特徴とする請求項１〜請求項５のいずれか１項に記載の通信方法。
【請求項８】
前記無線タグデータベースには、無線タグ種別が含まれ、当該無線タグ種別は、前記無線タグが取り付けられる対象を識別する情報であることを特徴とする請求項１〜請求項７のいずれか１項に記載の通信方法。
【請求項９】
前記サービス番号は、１つ以上の種類の区切り子によって区切られ、適当な個数結合して構成される任意の文字列であって、
前記サービス番号無線タグＩＤ変換データベースは、前記区切られた文字列ごとのデータベースから構成され、各データベースが前記区切られた文字列の構成の順に従って階層的に互いのアドレスを参照することにより、サービス番号と無線タグＩＤとを変換することを特徴とする請求項１〜請求項８のいずれか１項に記載の通信方法。
【請求項１０】
無線タグ検出器と、無線タグ検出器管理データベースを有する無線タグ検出器管理装置と、無線タグデータベースを有する無線タグデータベース装置と、無線タグ検出器設置箇所管理データベースを有する無線タグ検出器設置箇所管理装置と、端末と、を有するシステムにおける情報提供方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記無線タグ検出器設置箇所管理装置が、前記端末から送信された、無線タグ検出器設置箇所条件を含む情報要求信号を受信した場合に、当該無線タグ検出器設置箇所条件をキーとして前記無線タグ検出器設置箇所管理データベースを検索して当該無線タグ検出器設置箇所条件と同一のレコードに格納されている無線タグ検出器番号を取得し、これを前記端末に送信するステップと、
前記無線タグ検出器管理装置が、前記端末から送信された、無線タグ検出器番号を受信した場合に、当該無線タグ検出器番号をキーとして前記無線タグ検出器管理データベースを検索して当該無線タグ検出器番号と同一のレコードに格納されている無線タグＩＤを取得し、これを端末に送信するステップと、
前記無線タグデータベース装置が、前記端末から送信された、前記無線タグＩＤを受信した場合に、当該無線タグＩＤをキーとして前記無線タグデータベースを検索して当該無線タグＩＤと同一のレコードに格納されている無線タグ情報を取得し、これを端末に送信するステップと、
を有することを特徴とする情報提供方法。
【請求項１１】
前記無線タグ検出器設置箇所管理データベースは、前記無線タグ検出器が備え付けられている、列車の名・番号、車両番号、座席番号、および当該列車にある公衆端末の電話番号またはＩＰアドレスを含むことを特徴とする請求項１０に記載の情報提供方法。
【請求項１２】
無線タグ検出器と、無線タグ検出器管理データベースを有する無線タグ検出器管理装置と、無線タグデータベースを有する無線タグデータベース装置と、コンピュータと、を有するシステムにおける情報提供方法であり、
前記無線タグ検出器管理装置が、無線タグが発信する電波を検出した前記無線タグ検出器から、当該検出した電波に変調されている無線タグＩＤの通知を受けた場合に、無線タグデータベース装置にアクセスし、前記無線タグデータベースにおいて前記無線タグＩＤが格納されているレコードのフラッグ「０」をフラッグ「１」に書き換えるステップと、
前記無線タグデータベース装置が、前記コンピュータから送信された、前記無線タグＩＤを含む情報要求信号を受信した場合に、当該無線タグＩＤをキーとして前記無線タグデータベースを検索して当該無線タグＩＤと同一のレコードに格納されている無線タグ情報を取得し、これを端末に送信するステップと、
を有することを特徴とする情報提供方法。
【請求項１３】
前記無線タグ情報には、前記無線タグが取り付けられている者の氏名、職業、または連絡先が含まれることを特徴とする請求項１０〜請求項１２のいずれか１項に記載の情報提供方法。
【請求項１４】
前記無線タグ情報には、前記無線タグが備え付けられている物の名称、種類、用途、製造年月日、納入日、製造元、または販売価格が含まれることを特徴とする請求項１０〜請求項１２のいずれか１項に記載の情報提供方法。
【請求項１５】
前記無線タグ情報には、前記無線タグが備え付けられている物の所有者の氏名、連絡先が含まれること特徴とする請求項１０〜請求項１２のいずれか１項に記載の情報提供方法。
【請求項１６】
前記無線タグ情報には、無線タグ種別が含まれ、当該無線タグ種別は、前記無線タグが取り付けられる対象を識別する情報であることを特徴とする請求項１０〜請求項１２のいずれか１項に記載の情報提供方法。
【発明の詳細な説明】
【０００１】
【発明の属する技術分野】
本発明は、通信方法および情報提供方法に関し、特に、無線タグを用いた通信方法および情報提供方法に関する。
【０００２】
【従来の技術】
［従来の技術１：サービス番号と、ルーチング番号・物理番号］
（サービス番号がルーチング番号・物理番号である場合）
電話網の通常の基本接続では、サービス番号は、電話番号であり、ルーチング番号・物理番号である。すなわち、電話網内の交換機は、電話番号に従って、方路選択を行い（ルーチング）、目的着信先に着信する。
【０００３】
（サービス番号がルーチング番号・物理番号でない場合）
一方、電話網でも、フリーダイヤルなどのサービスでは、サービス番号である電話番号はルーチング番号・物理番号ではない。なぜなら、電話番号には、０１２０などのサービス識別番号が含まれるため、ルーチング番号としての情報が不足しているからである。したがって、フリーダイヤルなどのサービスの場合には、ＮＳＰ（Ｎｅｔｗｏｒｋ　Ｓｅｒｖｉｃｅ　Ｃｏｎｔｒｏｌ　Ｐｏｉｎｔ）あるいはＳＣＰ（Ｓｅｒｖｉｃｅ　Ｃｏｎｔｒｏｌ　Ｐｏｉｎｔ）などと呼ばれるサービス制御装置が、サービス番号をルーチング番号・物理番号に変換して、着信先までルーチングし、着信している。
【０００４】
ＵＰＴ（Ｕｎｉｖｅｒｓａｌ　Ｐｅｒｓｏｎａｌ　Ｔｅｌｅｃｏｍｍｕｎｉｃａｔｉｏｎ）とよばれる電話網の個人番号サービスは、加入者がどこにいても「その人の」電話を定義し、個人番号をダイヤルすることにより、そこに着信させるものであるが、この個人番号サービスの場合も、サービス番号である電話番号はルーチング番号・物理番号ではない。やはり、ＮＳＰあるいはＳＣＰなどと呼ばれるサービス制御装置が、サービス番号をルーチング番号・物理番号に変換して、着信先までルーチングし、着信している。
【０００５】
なお、「その人の」電話の定義は、特定の登録手続きを行うことで実行される。通常、登録手続きは、「その人の」電話としたい電話機から、登録受け付け装置に電話し、接続後、個人番号を当該電話機から電話をかけた者に対して通知することで実行される。
【０００６】
また、電子メールサービスにおけるサービス番号である電子メールアドレスは、ルーチング番号・物理番号ではない。ＤＮＳ（Ｄｏｍａｉｎ　Ｎａｍｅ　Ｓｙｓｔｅｍ）により、電子メールアドレスをルーチング番号・物理番号であるＩＰアドレスに変換し、電子メールのあて先まで、電子メールをルーチングし、届けている。
【０００７】
なお、電子メールでは、当該変換を効率的に行うために次の工夫をしている。まず、電子メールアドレスを、「名前＠ホスト名（ドメイン名）」の構造とし、ホスト名で決まるＤＮＳサーバにて、当該「名前＠ホスト名（ドメイン名）」というサービス番号に対するルーチング番号（ＩＰアドレス）の変換を行っている。
【０００８】
そして、ホスト名（ドメイン名）は、ｈｏｓｔ−ａ．ｃｏｍｐａｎｙ−ｘ．ｃｏ．ｊｐのような階層的な記述がされており、それに対応して、実際に変換を行うＤＮＳも階層的に、ルートと呼ばれる初期点から開始して、ｊｐドメインのＤＮＳサーバ、その中のｃｏドメインのＤＮＳサーバと順に辿って検索して、最終的に変換情報を有するＤＮＳに至ることができるようになっている。
【０００９】
［従来の技術２：位置通知サービス］
位置通知サービスとしては、▲１▼ＧＰＳなどによって端末の位置を特定し、この特定した位置を端末がネットワークに通知しまたは通信時に相手方に送ることで、第３者が位置情報を得るサービス、▲２▼携帯電話会社が無線基地局を利用し、端末がどの無線基地局傘下にいるかを特定することで、位置情報利用者に特定の携帯端末（を持つ人物）の位置を特定するサービスが知られている。
【００１０】
【発明が解決しようとする課題】
しかし、近年、上記従来の技術１および従来の技術２とは、別に、無線タグまたはＲＦＩＤ（Ｒａｄｉｏ　Ｆｒｅｑｕｅｎｃｙ−ＩＤｅｎｔｉｆｉｃａｔｉｏｎ）と呼ばれる装置（以下、単に「無線タグ」という。）が実現し、普及しようとしている。無線タグは、特定のＩＤを有し、高度なものは、メモリや暗号化回路、認証回路などを有する。安価なものは、特定ＩＤのみを有する。そして、数十ｃｍから数十ｍ規模の無線通信が可能である。その無線通信エリア内に、無線タグ検出器があった場合、この無線タグ検出器は、無線タグのＩＤやメモリ内容を読み出す。
【００１１】
この無線タグは、多くの人や物に付けられ、バーコードの代わりに、物品管理などに使用されることが考えられる（低価格無線タグ（数十円））。また、やや大きく高度な無線タグは、保育園児・幼稚園児や徘徊老人につけ、これらの者が管理区域外に出ることのないよう、その行動のチェックなどに使用されることが考えられる。
【００１２】
そこで、本発明は、かかる事情に鑑み、発信者が無線タグを有する者と容易に通信できる通信方法、およびサービス提供者が無線タグが備え付けられている物または無線タグを有する者に関する情報を容易に提供できる情報提供方法を提供することを目的とする。
【００１３】
【課題を解決するための手段】
本発明によれば、上記課題は、前記特許請求の範囲に記載の手段により解決される。
【００１４】
すなわち、請求項１に記載の発明は、無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器番号をキーとして前記無線タグ検出器設置箇所管理装置データベースを検索して、
当該無線タグ検出器番号と同一のレコードに格納されている電話番号またはＩＰアドレスを取得するステップと、
前記サービス番号接続装置が、前記電話番号またはＩＰアドレスを取得した場合に、前記電話番号またはＩＰアドレスを有する電話機と前記端末との音声通信を開始させるステップと、を有することを特徴とする通信方法である。
【００１５】
請求項２に記載の発明は、無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号および無線タグ検出器設置箇所条件を含むａｎｙｃａｓｔ接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている複数の無線タグＩＤを取得するステップと、
前記サービス番号接続装置が、前記複数の無線タグＩＤを取得した場合に、前記無線タグデータベース装置にアクセスし、当該複数の無線タグＩＤをキーとして前記無線タグデータベースを検索して当該複数の無線タグＩＤと同一のレコードにそれぞれ格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器設置箇所管理装置データベース名および前記無線タグ検出器設置箇所条件をキーとして前記無線タグ検出器設置箇所管理装置データベースを検索して、当該無線タグ検出器設置箇所管理装置データベース名および前記無線タグ検出器設置箇所条件と同一のレコードに格納されている電話番号またはＩＰアドレスを取得するステップと、
前記サービス番号接続装置が、前記電話番号またはＩＰアドレスを取得した場合に、前記電話番号またはＩＰアドレスを有する電話機と前記端末との音声通信を開始させるステップと、を有することを特徴とする通信方法である。
【００１６】
請求項３に記載の発明は、無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む位置通知要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器番号および無線タグ検出器設置箇所管理装置名を取得するステップと、
前記サービス番号接続装置が、前記無線タグ検出器番号および無線タグ検出器設置箇所管理装置名を取得した場合に、前記無線タグ検出器設置箇所管理装置にアクセスし、当該無線タグ検出器番号をキーとして前記無線タグ検出器設置箇所管理装置データベースを検索して、当該無線タグ検出器番号と同一のレコードに格納されている無線タグ検出器設置箇所条件および無線タグ検出器設置場所名を取得するステップと、
前記サービス番号接続装置が、前記無線タグ検出器設置箇所条件および無線タグ検出器設置場所名を取得した場合に、当該無線タグ検出器設置箇所条件および無線タグ検出器設置場所名を前記端末に送信するステップと、を有することを特徴とする通信方法である。
【００１７】
請求項４に記載の発明は、無線タグ検出器と、無線タグ検出器管理データベースを有する無線タグ検出器管理装置と、無線タグデータベースを有する無線タグデータベース装置と、サービス番号無線タグＩＤ変換データベースを有するサービス番号無線タグＩＤ変換データベース装置と、サービス番号接続装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記サービス番号接続装置が、前記端末から送信された、サービス番号を含む接続要求信号を受信した場合に、前記サービス番号無線タグＩＤ変換データベース装置にアクセスし、当該サービス番号をキーとして前記サービス番号無線タグＩＤ変換データベースを検索して当該サービス番号と同一のレコードに格納されている無線タグＩＤを取得するステップと、
前記サービス番号接続装置が、前記無線タグＩＤを取得した場合に、前記無線タグデータベース装置にアクセスし、当該無線タグＩＤをキーとして前記無線タグデータベースを検索して当該無線タグＩＤと同一のレコードに格納されている無線タグ検出器設置箇所管理装置名およびＶｏＩＰ（Ｖｏｉｃｅ　ｏｖｅｒ　ＩＰ）サーバのＩＰアドレスを取得するステップと、
前記サービス番号接続装置が、前記取得したＩＰアドレスのＶｏＩＰサーバに前記無線タグＩＤおよび前記無線タグ検出器設置箇所管理装置名を送信するステップと、
前記ＶｏＩＰサーバが、前記サービス番号接続装置から送信された前記無線タグＩＤおよび前記無線タグ検出器設置箇所管理装置名を受信した場合に、前記無線タグ検出器管理装置にアクセスして、前記無線タグ検出器管理データベースを検索して、当該無線タグＩＤと同一のレコードに格納されている無線タグ検出器番号を取得するステップと、
前記ＶｏＩＰサーバが、前記無線タグ検出器番号を取得した場合に、前記無線タグ検出器設置箇所管理装置にアクセスし、当該無線タグ検出器番号をキーとして前記無線タグ検出器設置箇所管理装置データベースを検索して、電話番号を取得するステップと、
前記ＶｏＩＰサーバが、前記電話番号を取得した場合に、前記電話番号に対応するＩＰアドレスを有する電話機と前記端末との音声通信を開始させるステップと、を有することを特徴とする通信方法である。
【００１８】
請求項５に記載の発明は、無線タグ検出器と、無線タグ検出器管理データベースを有する無線タグ検出器管理装置と、無線タグデータベースを有する無線タグデータベース装置と、無線タグ検出器設置箇所管理データベースを有する無線タグ検出器設置箇所管理装置と、端末と、を有するシステムにおける通信方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記無線タグ検出器設置箇所管理装置が、前記端末から送信された、無線タグ検出器設置箇所条件を含む接続要求信号を受信した場合に、当該無線タグ検出器設置箇所条件をキーとして前記無線タグ検出器設置箇所管理データベースを検索して当該無線タグ検出器設置箇所条件と同一のレコードに格納されている無線タグ検出器番号を取得し、これを前記端末に送信するステップと、
前記無線タグ検出器管理装置が、前記端末から送信された、無線タグ検出器番号を受信した場合に、当該無線タグ検出器番号をキーとして前記無線タグ検出器管理データベースを検索して当該無線タグ検出器番号と同一のレコードに格納されている無線タグＩＤを取得し、これを端末に送信するステップと、
前記無線タグデータベース装置が、前記端末から送信された、前記無線タグＩＤを受信した場合に、当該無線タグＩＤをキーとして前記無線タグデータベースを検索して当該無線タグＩＤと同一のレコードに格納されている電話番号またはＩＰアドレスを取得し、これを端末に送信するステップと、を有することを特徴とする情報提供方法である。
【００１９】
請求項６に記載の発明は、前記無線タグ検出器設置箇所管理データベースは、前記無線タグ検出器番号、当該無線タグ検出器が備え付けられている、ビルの名、室の番号、および当該室にある電話機の電話番号またはＩＰアドレスを含むことを特徴とする請求項１〜請求項５のいずれか１項に記載の通信方法である。
【００２０】
請求項７に記載の発明は、前記無線タグ検出器設置箇所管理データベースは、前記無線タグ検出器が備え付けられている、列車の名・番号、車両番号、座席番号、および当該列車にある公衆端末の電話番号またはＩＰアドレスを含むことを特徴とする請求項１〜請求項５のいずれか１項に記載の通信方法である。
【００２１】
請求項８に記載の発明は、前記無線タグデータベースには、無線タグ種別が含まれ、当該無線タグ種別は、前記無線タグが取り付けられる対象を識別する情報であることを特徴とする請求項１〜請求項７のいずれか１項に記載の通信方法である。
【００２２】
請求項９に記載の発明は、前記サービス番号は、１つ以上の種類の区切り子によって区切られ、適当な個数結合して構成される任意の文字列であって、
前記サービス番号無線タグＩＤ変換データベースは、前記区切られた文字列ごとのデータベースから構成され、各データベースが前記区切られた文字列の構成の順に従って階層的に互いのアドレスを参照することにより、サービス番号と無線タグＩＤとを変換することを特徴とする請求項１〜請求項８のいずれか１項に記載の通信方法である。
【００２３】
請求項１０に記載の発明は、無線タグ検出器と、無線タグ検出器管理データベースを有する無線タグ検出器管理装置と、無線タグデータベースを有する無線タグデータベース装置と、無線タグ検出器設置箇所管理データベースを有する無線タグ検出器設置箇所管理装置と、端末と、を有するシステムにおける情報提供方法であり、
前記無線タグ検出器管理装置が、無線タグが発信する電波を検出した前記無線タグ検出器から、当該検出した電波に変調されている無線タグＩＤ、および無線タグ検出器番号の通知を受けた場合に、当該無線タグ検出器番号をキーとして前記無線タグ検出器管理データベースを検索し、前記無線タグ検出器に関する情報を管理する無線タグ検出器設置箇所管理装置名を取得するステップと、
前記無線タグ検出器管理装置が、前記無線タグ検出器設置箇所管理装置名を取得した場合に、無線タグデータベース装置にアクセスし、前記無線タグデータベースにおいて前記無線タグＩＤが格納されているレコードに、前記無線タグ検出器番号および前記無線タグ検出器設置箇所管理装置名を格納するステップと、
前記無線タグ検出器設置箇所管理装置が、前記端末から送信された、無線タグ検出器設置箇所条件を含む情報要求信号を受信した場合に、当該無線タグ検出器設置箇所条件をキーとして前記無線タグ検出器設置箇所管理データベースを検索して当該無線タグ検出器設置箇所条件と同一のレコードに格納されている無線タグ検出器番号を取得し、これを前記端末に送信するステップと、
前記無線タグ検出器管理装置が、前記端末から送信された、無線タグ検出器番号を受信した場合に、当該無線タグ検出器番号をキーとして前記無線タグ検出器管理データベースを検索して当該無線タグ検出器番号と同一のレコードに格納されている無線タグＩＤを取得し、これを端末に送信するステップと、
前記無線タグデータベース装置が、前記端末から送信された、前記無線タグＩＤを受信した場合に、当該無線タグＩＤをキーとして前記無線タグデータベースを検索して当該無線タグＩＤと同一のレコードに格納されている無線タグ情報を取得し、これを端末に送信するステップと、を有することを特徴とする情報提供方法である。
【００２４】
請求項１１に記載の発明は、前記無線タグ検出器設置箇所管理データベースは、前記無線タグ検出器が備え付けられている、列車の名・番号、車両番号、座席番号、および当該列車にある公衆端末の電話番号またはＩＰアドレスを含むことを特徴とする請求項１０に記載の情報提供方法である。
【００２５】
請求項１２に記載の発明は、無線タグ検出器と、無線タグ検出器管理データベースを有する無線タグ検出器管理装置と、無線タグデータベースを有する無線タグデータベース装置と、コンピュータと、を有するシステムにおける情報提供方法であり、
前記無線タグ検出器管理装置が、無線タグが発信する電波を検出した前記無線タグ検出器から、当該検出した電波に変調されている無線タグＩＤの通知を受けた場合に、無線タグデータベース装置にアクセスし、前記無線タグデータベースにおいて前記無線タグＩＤが格納されているレコードのフラッグ「０」をフラッグ「１」に書き換えるステップと、
前記無線タグデータベース装置が、前記コンピュータから送信された、前記無線タグＩＤを含む情報要求信号を受信した場合に、当該無線タグＩＤをキーとして前記無線タグデータベースを検索して当該無線タグＩＤと同一のレコードに格納されている無線タグ情報を取得し、これを端末に送信するステップと、を有することを特徴とする情報提供方法である。
【００２６】
請求項１３に記載の発明は、前記無線タグ情報には、前記無線タグが取り付けられている者の氏名、職業、または連絡先が含まれることを特徴とする請求項１０〜請求項１２のいずれか１項に記載の情報提供方法である。
【００２７】
請求項１４に記載の発明は、前記無線タグ情報には、前記無線タグが備え付けられている物の名称、種類、用途、製造年月日、納入日、製造元、または販売価格が含まれることを特徴とする請求項１０〜請求項１２のいずれか１項に記載の情報提供方法である。
【００２８】
請求項１５に記載の発明は、前記無線タグ情報には、前記無線タグが備え付けられている物の所有者の氏名、連絡先が含まれること特徴とする請求項１０〜請求項１２のいずれか１項に記載の情報提供方法である。
【００２９】
請求項１６に記載の発明は、前記無線タグ情報には、無線タグ種別が含まれ、当該無線タグ種別は、前記無線タグが取り付けられる対象を識別する情報であることを特徴とする請求項１０〜請求項１２のいずれか１項に記載の情報提供方法である。
【００３０】
図１４は、本発明の作用を概観する図である。
本発明は、サービス番号などの無線タグに対応した情報をもとに、当該無線タグを検出した無線タグ検出器に関連する情報を得ることにより、サービス番号による通信サービスや位置通知サービスを実現する。
【００３１】
また、本発明は、場所などの情報（無線タグ検出器管理情報）から対応する無線タグ検出器を見出し、当該無線タグ検出器が検出した無線タグ（がついている対象）の情報を得ることにより、特定の場所にある携帯電話と通信するというサービスを実現する。
【００３２】
本発明において、サービス番号は、サービス番号無線タグＩＤ変換データベース装置で無線タグＩＤに変換され、無線タグデータベース装置で無線タグ検出器番号・ビル管理データベース装置名になり、それらを参照して、求める電話機の電話番号を含む無線タグ検出器管理情報に至る。
【００３３】
逆に、特定のビル名などの場所情報を無線タグ検出器管理情報として与え、そこにある無線タグ検出器をビル管理データベース装置により特定し、無線タグ検出器により検出された無線タグＩＤを無線タグ検出器管理装置で特定し、無線タグＩＤに対するレコードを無線タグデータベースで参照することで当該無線タグが備え付けられた（すなわち、当該ビルで検出された）携帯電話の電話番号などのサービス管理対象情報を得られる。
【００３４】
本発明によれば、無線タグ検出器の設置事業者が、無線タグデータベース設置事業者の有する無線タグデータベースに情報を提供し、必要に応じて、同無線タグデータベース設置事業者から情報提供料の支払いを受け、あるいは、情報提供を条件として同無線タグデータベース設置事業者の有する無線タグ情報を利用したサービスの提供をサービス提供事業者から受けるという無線タグ利用サービス業を実現できる。
【００３５】
また、本発明によれば、サービス提供事業者が、無線タグデータベース設置事業者の有する無線タグデータベースにある情報を得て、その情報提供に対して当該無線タグデータベース設置事業者に料金を払い、このサービス提供事業者は前記得た情報に基づきサービスを顧客に対して提供し、この顧客は同サービス提供に対してサービス会社に料金を支払うという無線タグ利用サービス業を実現できる。
【００３６】
【発明の実施の形態】
以下に、添付した図面を参照しつつ、本発明の好適な実施の形態を詳細に説明する。
【００３７】
図２は、本発明の実施の形態を適用した会議室１０１を示す図である。
【００３８】
図２に示すように、会議室１０１には、テーブル１０２と、このテーブル１０２の周りに椅子１０３〜１０６が配置されている。椅子１０３〜１０６には、それぞれ無線タグ検出器１１０〜１１３が備え付けられており、この無線タグ検出器１１０〜１１３は、それぞれ椅子１０３〜１０６近傍の無線タグを検出する。
【００３９】
また、図２の会議室１０１には、ＩＰ電話機１０７とドア１０８とがあり、ドア１０８には、無線タグ検出器１０９が備え付けられている。この無線タグ検出器１０９は、ドア１０８近傍の無線タグを検出する。
以下、図２の会議室１０１に入出する人物には、図６に示すように、無線タグ６０１が付与されているものとする。
【００４０】
なお、図２の会議室１０１においては、説明の簡単のため、電話機１０７をＩＰ電話機としたが、本発明に係るシステムは、電話機をＩＰ電話機に限定するものではない。したがって、本発明が適用される電話機は、加入者電話機であってもよい。
【００４１】
［第１の実施の形態］
図１は、本発明の第１の実施の形態を説明する図である。
【００４２】
図１に示すように、本発明の第１の実施の形態に係るシステムは、ネットワーク２０２により実現される。このネットワーク２０２には、上記図２の会議室１０１における、椅子１０３〜１０６にそれぞれ備え付けられた無線タグ検出器１１０〜１１３、ドア１０８に備え付けられた無線タグ検出器１０９が接続されている。また、ネットワーク２０２には、図２の会議室１０１に設置されたＩＰ電話機１０７も接続されている。
【００４３】
なお、本発明に係るシステムは、ネットワーク２０２をインターネットに限定するものではないが、以下では、説明の簡単ために、ネットワーク２０２をインターネットとする。
【００４４】
ネットワーク２０２には、上記無線タグ検出器やＩＰ電話機などの他に、無線タグ検出器管理装置２０３が接続されている。無線タグ検出器管理装置２０３は、上記無線タグ検出器１１０〜１１３などの無線タグ検出器からネットワーク２０２を介して送信された無線タグの検出結果を受信する。
【００４５】
無線タグ検出器管理装置２０３が有する無線タグ検出器管理データベースは、図７に示すように、無線タグ検出器を識別する無線タグ検出器番号と、この無線タグ検出器の管理に関する情報（以下、「無線タグ検出器管理情報」という。）を有するビル管理データベース装置２０４と、を対応付けて格納している。
【００４６】
ビル管理データベース装置２０４は、数個の無線タグ検出器管理情報を対応付けて格納している。すなわち、ビル管理データベース装置２０４は、図３に示すように、無線タグ検出器の無線タグ検出器番号と、この無線タグ検出器が備え付けられている室の番号と、この室に備え付けられている電話機の電話番号と、この室を管理するビル名と、を対応付けて有している。
【００４７】
ビル管理データベース装置２０４は、会議室１０１を有するビルの管理会社が所有している。
【００４８】
無線タグデータベース装置２０５は、各無線タグの情報を管理するデータベースであり、図４に示すようなデータを有している。図４において、無線タグＩＤは、各無線タグを識別するための番号である。
【００４９】
無線タグ種別は、無線タグが取り付けられている対象を示す領域であり、「１」は、無線タグが人に取り付けられていることを示している。
【００５０】
所有者名は、無線タグの所有者の氏名である。サービス番号は、無線タグの所有者を識別する番号である。また、自宅電話番号、勤務先電話番号、電子メールアドレスは、それぞれ、無線タグの所有者の自宅電話番号、勤務先電話番号、電子メールアドレスである。また、年齢、性別、住所などの情報も、図４の無線タグの情報として無線タグデータベース装置２０５に管理させることができる。
【００５１】
【００５２】
なお、無線タグ種別が「１」でない場合、すなわち、無線タグが、人ではなく、たとえば、机や椅子などに取り付けられている場合は、上記と異なり、図４の無線タグの情報は、机や椅子の設置場所や机や椅子の材質などの情報となる。
【００５３】
サービス番号無線タグＩＤ変換データベース装置２０６は、図５に示すように、上記図４で述べたサービス番号（無線タグの所有者を識別する番号）と、無線タグＩＤとを対応付けて管理している。
【００５４】
サービス番号無線タグＩＤ変換データベース装置２０６は、サービス番号を入力されると、サービス番号無線タグＩＤ変換データベースを検索し、このサービス番号で識別される人物が有している無線タグの無線タグＩＤを出力する。
【００５５】
サービス番号接続装置２０７は、携帯電話網２１０上の携帯電話（またはＰＤＡ）２０８などからの発信呼にアクセスされ、着信すべき端末を指定する装置である。サービス番号接続装置２０７は、無線タグデータベース装置２０５、サービス番号無線タグＩＤ変換データベース装置２０６などにアクセスできるほか、コンピュータ２０９、ＩＰ電話１０７、加入者電話２１０上の加入者電話２１１や携帯電話網２１０上の携帯電話（またはＰＤＡ）２０８などにアクセスできる。
【００５６】
なお、第１の実施の形態においては、無線タグ検出器やビル管理データベース装置などの無線タグ関連の装置の接続されるネットワークと、携帯電話やＰＤＡなどの端末類が接続されるネットワークとは、同一であるが（すなわち、無線タグ関連の装置と端末類とは、ともにネットワーク２０２に接続されている。）、本発明は、これに限られるものではない。
【００５７】
したがって、本発明においては、無線タグ関連の装置の接続されるネットワークと端末類が接続されるネットワークとは、別であってもよい。この場合は、サービス番号接続装置２０７のみが、両方のネットワークにアクセスする。
【００５８】
以上の装置類に加えて、ネットワーク２０２には、パソコン２０９やＩＰ電話１０７などの端末類が接続されている。パソコン２０９は、サービス番号接続サービス用ＩＰ電話クライアントソフトを有し、音声の符号化装置などを具備する。加入者電話２１１や携帯電話（またはＰＤＡ）２０８などは、電話網・携帯電話網２１０を介して、ネットワーク２０２にアクセスし、当該ネットワーク２０２上のコンピュータ２０９などと通信する。
【００５９】
以下、第１の実施の形態に係る通信方法について詳細に説明する。
【００６０】
この通信の方法は、大きく２つに分けられる。その１つ目は、図６の無線タグを持つ人物が図２の会議室１０１に入室し１０３〜１０６までのいずれか１つの椅子に着席したことを無線タグ検出器１１０〜１１３のいずれか１つが検出し、その検出結果を無線タグ検出器管理データベース２０３に登録するまでのステップ（以下、「第１のステップ」という。）であり、２つ目は、誰かが、加入者電話２１１や携帯電話（またはＰＤＡ）２０８やコンピュータ２０９を介して図６の無線タグを持つ人物に対して通信要求を行い、当該要求に従った通信が実行されるまでのステップ（以下、「第２のステップ」という。）である。
【００６１】
（第１の実施の形態に係る第１のステップ）
図６の無線タグ６０１の所有者（以下、「着信者」という。）が、会議室１０１に入室し、椅子１０４に座ったとする。椅子１０４に備え付けられている無線タグ検出器１１１は、着信者に取り付けられている無線タグ６０１を検出する。
【００６２】
無線タグ検出器１１１に検出される無線タグ６０１の情報としては、無線タグ６０１の無線タグＩＤのみの場合（この場合の無線タグを「低価格無線タグ」という。）と、無線タグＩＤに加えて図４および図５に記載のサービス番号ｙａｍａｄａ＠ｃｏｍｐａｎｙ−ｘ．ｃｏ．ｊｐも含む場合（この場合の無線タグを「高度無線タグ」という。）と、があり得る。
【００６３】
そして、無線タグ検出器１１１は、この検出した情報を、ネットワーク２０２を介して、無線タグ検出器管理装置２０３に「検出」通知する。
【００６４】
無線タグ検出器１１１から「検出」通知を受けた無線タグ検出器管理装置２０３は、この通知から無線タグＩＤを取りだし、後述する情報を書き込むために、ネットワーク２０２を介して無線タグデータベース装置２０５にアクセスする。
【００６５】
無線タグデータベース装置２０５にアクセスした無線タグ検出器管理装置２０３は、無線タグＩＤ（「１２３４４６８２３３」）をキーとして、図７の無線タグ検出器管理情報を検索し無線タグ検出器１１１を管理するビル管理データベース装置を検出する。また、無線タグデータベース装置２０５にアクセスした無線タグ検出器管理装置２０３は、無線タグＩＤ（「１２３４４６８２３３」）をキーとして、無線タグデータベース装置２０５が有する無線タグ検出器情報を検索し、該当するレコード（図４）を参照する。
【００６６】
そして、無線タグ検出器管理装置２０３は、図４の該当するレコードにおいて、無線タグ検出器番号の欄とビル管理データベース装置の欄に、それぞれ無線タグ６０１を検出した無線タグ検出器番号１１１と、ビル管理データベース装置名（ビル管理データベース装置２０４）を書きこむ。
【００６７】
以上により、第１のステップは終了する。
【００６８】
（第１の実施の形態に係る第２のステップ）
たとえば、図１の電話網・携帯電話網２１０上のＰＤＡのユーザ（以下、「発信者」とする。）が、図６の着信者と通信したいとする。この時、発信者は、着信者がどんな端末の近くにいるかを意識していない。
【００６９】
ただし、発信者は、着信者のサービス番号が、「ｙａｍａｄａ＠ｃｏｍｐａｎｙ−ｘ．ｃｏ．ｊｐ」であることを知っている。
【００７０】
発信者は、サービス番号接続サービス用ＩＰ電話クライアントソフトを用いて、ネットワーク２０２を介してサービス番号接続装置２０７にアクセスする。具体的には、サービス番号接続サービス用ＩＰ電話クライアントソフト上の接続要求信号のあて先の欄に着信者のサービス番号「ｙａｍａｄａ＠ｃｏｍｐａｎｙ−ｘ．ｃｏ．ｊｐ」を入力し、この入力がなされた接続要求信号を、サービス番号接続装置２０７をあて先とするＩＰパケットに入れ、ネットワーク２０２を介して、サービス番号接続装置２０７に送る。
【００７１】
このＩＰパケットを受信したサービス番号接続装置２０７は、接続要求信号であることを識別し、あて先に指定された着信者のサービス番号を読みこむ。サービス番号を読み込んだサービス番号接続装置２０７は、ネットワーク２０２を介してサービス番号無線タグＩＤ変換データベース装置２０６にアクセスし、このサービス番号に対応する無線タグＩＤを読み出す。
【００７２】
無線タグＩＤを読み出したサービス番号接続装置２０７は、ネットワーク２０２を介して、無線タグデータベース装置２０５にアクセスし、上記読み出した無線タグＩＤをキーとして、図４の無線タグ検出器情報を検索し、無線タグ検出器番号１１１とビル管理データベース装置名（ビル管理データベース装置２０４）を読み出す。
【００７３】
無線タグ検出器番号１１１とビル管理データベース装置名（ビル管理データベース装置２０４）を読み出したサービス番号接続装置２０７は、ビル管理データベース装置２０４にアクセスし、無線タグ検出器番号１１１をキーとして、無線タグ検出器の設置してある部屋の電話番号（またはＩＰアドレス）を読み出す（ＩＰアドレス情報でなく、電話番号情報のみの場合は、同電話番号が、ＩＰ電話の番号であることを接続装置２０７は検出して、ネットワーク２０２内のＩＰ電話番号・ＩＰアドレス変換装置で、同電話番号をＩＰアドレスに変換する。）。
【００７４】
そして、サービス番号接続装置２０７は、上記接続要求信号のあて先の欄に入力されているサービス番号「ｙａｍａｄａ＠ｃｏｍｐａｎｙ−ｘ．ｃｏ．ｊｐ」を電話番号「０３−３３９９−１２３４」に入れ替え、入れ替え後の接続要求信号を、電話番号「０３−３３９９−１２３４」に対応するＩＰアドレスをあて先ＩＰアドレスとしたＩＰパケットに入れ、このＩＰパケットをネットワーク２０２を介して、ＩＰ電話機１０７届ける。
【００７５】
以上のようにして、ＩＰ電話１０７は、発信者から携帯電話２０９を介して発信された接続要求信号を着信する。
【００７６】
なお、本第１の実施の形態においては、電話機１０７をＩＰ電話機としたが、
本発明は、電話機をＩＰ電話機に限定するものではない。したがって、本発明においては、電話機１０７が加入者電話であってもよい。この場合、サービス番号接続装置２０７は、上記ＩＰパケットのあて先ＩＰアドレスを、ネットワーク２０２と、加入者電話が接続される電話網２１１（図示せず）間のゲートウェイ装置のＩＰアドレスとし、ＩＰパケットをネットワーク２０２を介して当該ゲートウェイ装置に送信する。
【００７７】
ゲートウェイ装置は、受信したＩＰパケットに接続要求信号が含まれる場合には、接続要求信号のあて先の欄から電話番号「０３−３３９９−１２３４」を読み取り、この電話番号「０３−３３９９−１２３４」の加入者電話に電話網２１１（図示せず）を介して上記接続要求信号を発信する。
【００７８】
なお、本第１の実施の形態におけるサービス番号「ｙａｍａｄａ＠ｃｏｍｐａｎｙ−ｘ．ｃｏ．ｊｐ」は英字を含んでいるが、本発明に係るサービス番号は、英字に限られるものではない。
したがって、本発明においては、サービス番号を、数字のみで構成することができる。
【００７９】
この場合には、たとえば上記着信者に、２つのサービス番号（加入者電話や携帯電話などからのアクセス用の数字のみのサービス番号と、覚えやすい英数字や日本語や漢字など入りのサービス番号）を割り与えることなどができる。
【００８０】
また、電話・携帯電話番号体系に整合する、数字識別子＋数字で構成されるサービス番号の付与であれば、数字識別子＋数字で構成されるサービス番号を、サービス番号接続装置２０７などで、英字のみからなるサービス番号に変換することにより、上記第１の実施の形態をそのまま適用できる。
【００８１】
また、本第１の実施の形態においては、説明の簡単のため、サービス番号無線タグＩＤ変換データベース装置２０６を１つとしたが、本発明においては、このサービス番号無線タグＩＤ変換データベース装置２０６を複数設けることもできる。この場合は、サービス番号無線タグＩＤ変換データベース装置２０６を、サービス番号の構造と対応する構造とすることができる。
【００８２】
具体的には、サービス番号無線タグＩＤ変換データベース装置２０６を、インターネットのＤＮＳなどで使用されている階層化することができる。
【００８３】
たとえば、任意の文字列からなる名前に、「．」という階層の切れ目（区切り子）を入れる方法では、サービス番号が「ｙａｍａｄａ．ｃｏｍｐａｎｙ−ｘ．ｃｏ．ｊｐ」となる。
【００８４】
この場合、図８に示すように、ｒｏｏｔと呼ばれるデータベースが、傘下のｊｐなどのデータベースのアドレスを有し、ｊｐと呼ばれるデータベースが、傘下のｃｏなどのデータベースのアドレスを有し、という形で、階層的にデータの収容データベースを特定する構造を規定する。
【００８５】
これにより、本発明に係るサービス加入者数が膨大で、上記の第１の実施の形態では、サービス番号無線タグＩＤ変換データベース装置２０６が対応する無線タグＩＤを検索するのが困難となるような状況であっても、サービス番号無線タグＩＤ変換データベース装置２０６は、対応する無線タグＩＤを、分散的かつ効率的に検索する。
【００８６】
すなわち、上記「ｙａｍａｄａ．ｃｏｍｐａｎｙ−ｘ．ｃｏ．ｊｐ」の例では、ｒｏｏｔから順に、ｃｏ、ｃｏｍｐａｎｙ−ｘとたどる。たとえば、サービス番号が少ない時は、ｃｏというデータベース内に、ｘｘｘｘｘ．ｃｏ．ｊｐという形式のサービス番号が全て入っているかもしれない。あるいは、その中で、次がｃｏｍｐａｎｙ−ｘであるものだけ、他のデータベースであるかもしれないので、その場合は、同データベースにその旨情報（下位データベース（ここでは、ｃｏｍｐａｎｙ−ｘというデータベース）にアクセスできるためのアドレス情報など）が具備されている必要がある。
【００８７】
さらに、本階層の最下位を特別に扱い、そこの部分の区切りだけ＠で表す構造とした場合は、「ｙａｍａｄａ＠ｃｏｍｐａｎｙ−ｘ．ｃｏ．ｊｐ」という形の形式となる。さらに、サービス番号であることを示すための識別子（例えば、ｐｅｒｓｏｎａｌ）を用いた形式（例えば、ｐｅｒｓｏｎａｌ：　ｙａｍａｄａ＠ｃｏｍｐａｎｙ−ｘ．ｃｏ．ｊｐ）も考えられる。
【００８８】
本発明によれば、上記いずれの階層化をも実現することができるため、大規模化を図ることができる。
【００８９】
さらに、後記するように、ビル管理データベース装置にあるビル名（ビル番号から）無線タグ検出器番号を抽出するような例でも、ビル番号を階層化し、それ対応にデータベース構造を用意することで効率的な検索が可能となる。
【００９０】
電話・携帯電話からの発信を可能とする数字のみのサービス番号の場合にも、上記と同様に階層化を図ることができる。具体的には、（通信）事業者番号、事業者支社番号などを定め、サービス番号（例：０５０）−事業者番号（例：１２４）−事業者支社番号（例：７）−個人対応部（例：２７８３）などとする。データベースの階層はｒｏｏｔの下に各事業者、その下に各事業支社という形で、構成する。
【００９１】
また、上記では、サービス番号で、単純な着信サービスを実現する例を記述したが、本第１の実施の形態は、例えば、着信先の電話、あるいは、着信者（着信者）が会議室にいる場合は、着信しない、留守電接続にする、作業室にいる場合は、着信する、などの着信条件制御と組み合わせることができる。
【００９２】
［第２の実施の形態：ａｎｙｃａｓｔ通信への応用］
上記第１の実施の形態においては、着信者への通信をサービス番号で通信する形態を記述したが、本発明の第２の実施の形態によれば、「Ｘ社営業部」というサービス番号により、Ｘ社営業部の複数の人物を指定し、そのうちの１人、あるいは、全員に通信するという形態に適用することもできる。たとえば、ｘｘｘビルにいるＸ社営業部の誰か１人に通信するという形態である。
【００９３】
第２の実施の形態における第１のステップは、図５のサービス番号に対応する無線タグ番号が複数となり、上記第１の通信のステップにおける登録が、無線タグ毎に行われる点で、上記第１の実施の形態における第１のステップと異なるが、その他は同様である。
【００９４】
第２の実施の形態における第２のステップは、以下のようになる。
【００９５】
たとえば、図１の電話網・携帯電話網２１０上のＰＤＡのユーザ（すなわち、「発信者」とする。）が、ｘｘｘビルにいるＸ社営業部の誰か１人と通信したいとする。この時、発信者は、Ｘ社営業部の人がどんな端末の近くにいるかを意識していない。
【００９６】
ただし、発信者は、Ｘ社営業部のサービス番号が、「ｓａｌｅｓ＠ｃｏｍｐａｎｙ−ｘ．ｃｏ．ｊｐ」であることを知っている。
【００９７】
発信者は、サービス番号接続サービス用ＩＰ電話クライアントソフトを用いて、ネットワーク２０２を介してサービス番号接続装置２０７にアクセスする。具体的には、サービス番号接続サービス用ＩＰ電話クライアントソフト上のａｎｙｃａｓｔ接続要求信号（ａｎｙｃａｓｔは、あて先候補が複数の場合、その１人と通信する、の意味である。）のあて先の欄にＸ社営業部のサービス番号「ｓａｌｅｓ＠ｃｏｍｐａｎｙ−ｘ．ｃｏ．ｊｐ」を入力し、条件領域に「ｘｘｘビルにいる」を入力して、この入力がなされたａｎｙｃａｓｔ接続要求信号を、サービス番号接続装置２０７をあて先とするＩＰパケットに入れ、ネットワーク２０２を介して、サービス番号接続装置２０７に送る。
【００９８】
このＩＰパケットを受信したサービス番号接続装置２０７は、ａｎｙｃｓｓｔ接続要求信号であることを識別し、あて先に指定されたＸ社営業部のサービス番号と条件とを読みこむ。サービス番号を読み込んだサービス番号接続装置２０７は、ネットワーク２０２を介してサービス番号無線タグＩＤ変換データベース装置２０６にアクセスし、このサービス番号に対応する複数の無線タグＩＤを読み出す。
【００９９】
複数の無線タグＩＤを読み出したサービス番号接続装置２０７は、ネットワーク２０２を介して、無線タグデータベース装置２０５にアクセスし、上記読み出した無線タグＩＤをキーとして、図４の無線タグ検出器情報を検索し、各々の無線タグ検出器番号とビル管理データベース装置名を読み出す。
【０１００】
無線タグ検出器番号とビル管理データベース装置名（ビル管理データベース装置２０４）とを読み出したサービス番号接続装置２０７は、ビル管理データベース装置２０４にアクセスし、無線タグ検出器番号と条件とをキーとして、無線タグ検出器の設置してある部屋の電話番号（またはＩＰアドレス）を読み出す。
【０１０１】
そして、サービス番号接続装置２０７は、上記ａｎｙｃａｓｔ接続要求信号のあて先の欄に入力されているサービス番号「ｓａｌｅｓ＠ｃｏｍｐａｎｙ−ｘ．ｃｏ．ｊｐ」を電話番号に入れ替え、入れ替え後のａｎｙｃａｓｔ接続要求信号を、当該電話番号に対応するＩＰアドレスをあて先ＩＰアドレスとしたＩＰパケットに入れ、このＩＰパケットをネットワーク２０２を介して、ＩＰ電話機１０７届ける。
【０１０２】
以上のようにして、ＩＰ電話１０７は、発信者から携帯電話２０９を介して発信された接続要求信号を着信する。
【０１０３】
［第３の実施の形態：位置通知サービスへの応用］
上記第１の実施の形態および第２の実施の形態は、サービス番号による通信サービスに関する形態であるが、次に、位置通知サービス（以下、「第３の実施の形態」という。）を説明する。
【０１０４】
第３の実施の形態は、第３の実施の形態に係る下記第２のステップの点、およびサービス番号接続装置２０７が位置通知サービス装置も兼ねる点で、上記第１の実施の形態および第２の実施の形態と異なる。
【０１０５】
（第２のステップ）
たとえば、図１のパソコン２０９のユーザが、図６の着信者の位置を知りたいとする。
【０１０６】
このユーザは、着信者のサービス番号が、「ｙａｍａｄａ＠ｃｏｍｐａｎｙ−ｘ．ｃｏ．ｊｐ」であることを知っている。
【０１０７】
ユーザは、位置通知サービス用クライアントソフトを用いて、ネットワーク２０２を介してサービス番号接続装置２０７にアクセスする。具体的には、位置通知サービス用クライアントソフト上の位置通知要求信号の位置通知対象領域に着信者のサービス番号「ｙａｍａｄａ＠ｃｏｍｐａｎｙ−ｘ．ｃｏ．ｊｐ」を入力し、この入力がなされた位置通知要求信号を、サービス番号接続装置２０７をあて先とするＩＰパケットに入れ、ネットワーク２０２を介して、サービス番号接続装置２０７に送る。
【０１０８】
このＩＰパケットを受信したサービス番号接続装置２０７は、位置通知要求信号であることを識別し、位置通知対象に指定された着信者のサービス番号を読みこむ。サービス番号を読み込んだサービス番号接続装置２０７は、ネットワーク２０２を介してサービス番号無線タグＩＤ変換データベース装置２０６にアクセスし、このサービス番号に対応する無線タグＩＤを読み出す。
【０１０９】
無線タグＩＤを読み出したサービス番号接続装置２０７は、ネットワーク２０２を介して、無線タグデータベース装置２０５にアクセスし、上記読み出した無線タグＩＤをキーとして、図４の無線タグ検出器情報を検索し、無線タグ検出器番号１１１とビル管理データベース装置名（ビル管理データベース装置２０４）を読み出す。
【０１１０】
無線タグ検出器番号１１１とビル管理データベース装置名（ビル管理データベース装置２０４）を読み出したサービス番号接続装置２０７は、ビル管理データベース装置２０４にアクセスし、無線タグ検出器番号１１１をキーとして、無線タグ検出器の設置してある部屋と、この部屋のあるビルの名とを読み出す。
【０１１１】
そして、接続装置２０７は、位置通知信号を生成し、着信者の個人番号と読み出したビル名、室番号を入れる。そして、当該位置通知要求信号を発信したＩＰアドレスをあて先とするＩＰパケットを生成し、このＩＰパケットをネットワーク２０２を介して、パソコン２０９に送達することで位置通知を行う。
【０１１２】
［第４の実施の形態］
図９は、第４の実施の形態を示す図である。
【０１１３】
上記第１の実施の形態〜第３の実施の形態では、サービス番号接続装置２０７がビル管理データベース装置２０４に直接アクセスできる。しかし、現実には、ビル内の設備状況などは、ビルオーナーやビル管理会社の固有の情報である。したがって、サービス番号接続装置２０７を通信事業者が管理する場合には、サービス番号接続装置２０７は、ビル管理データベース装置２０４に直接アクセスできない場合がある。
【０１１４】
第４の実施の形態は、上記直接アクセスできない点、および通信装置であるＶｏＩＰ（Ｖｏｉｃｅ　ｏｖｅｒ　ＩＰ）サーバ９０１を有する点で、上記第１の実施の形態〜第３の実施の形態とは異なるが、その基本的な構成は上記第１の実施の形態〜第３の実施の形態と同じである。
【０１１５】
図１における無線タグ検出器１１１、無線タグ検出器管理装置２０３、ビル管理データベース装置２０４は、ビル管理会社が管理しているものとする。
【０１１６】
無線タグデータベース装置２０５は、着信者の勤務会社が社員の行き先管理装置として管理することができるほか、着信者が自宅で個人的に管理すること、社会インフラとして整備すること、通信会社が管理すること、無線タグ運用会社（専門会社）がする管理することができる。
【０１１７】
サービス番号無線タグＩＤ変換データベース装置２０６、サービス番号接続装置２０７は、通信会社が管理する。
【０１１８】
各端末（パソコン２０９、携帯電話・ＰＤＡ２０８、電話機１０７）は、通信会社の顧客が管理する。
【０１１９】
（第４の実施の形態と第１の実施の形態〜第３の実施の形態との、第１の通信ステップにおける相違点）
図９の第４の実施の形態においては、無線タグ検出器管理装置２０３は、無線タグ検出器１１１からの検出通知を受けて、この検出された無線タグに関する情報を無線タグデータベース装置２０５に書きこみに行く。
【０１２０】
無線タグ検出器番号はビル管理会社の固有の情報であるので、無線タグデータベース装置２０５が有する無線タグに関する情報（図４）の無線タグ検出器番号の欄には何も書き込まれていない。
【０１２１】
一方、無線タグ検出器管理装置２０３の無線タグ検出器管理データベースには、図１０に記載のように、各無線タグ検出器の番号と各無線タグ検出器が検出した無線タグのＩＤとの対応表が記憶される。
【０１２２】
（第４の実施の形態と第１の実施の形態〜第３の実施の形態との、第２の通信ステップにおける相違点）
その無線タグＩＤからサービス番号接続装置２０７は、無線タグデータベース装置２０５にアクセスして、ビル管理データベース装置の名（ビル管理データベース装置２０４）を読み出す。上記したように無線タグ検出器番号は空であるので、サービス番号接続装置２０７は、無線タグ検出器番号を得られない。
【０１２３】
ビル管理データベース装置の名（ビル管理データベース装置２０４）を読み出したサービス番号接続装置２０７は、ビル管理データベース装置２０４にアクセスし、無線タグ検出器番号「空」に対しての電話番号情報、ＩＰアドレス情報を要求する。
【０１２４】
この要求を受けたビル管理データベース装置２０４は、サービス番号接続装置２０７に対して、ＶｏＩＰサーバ９０１のＩＰアドレスを回答する。
【０１２５】
そして、サービス番号接続装置２０７は、接続要求信号のあて先の欄に、無線タグＩＤによるあて先識別であることを示す識別子と「ビル管理データベース装置名（ビル管理データベース装置２０４）と無線タグＩＤ」を入れる。
【０１２６】
そして、サービス番号接続装置２０７は、あて先ＩＰアドレスを、ＶｏＩＰサーバ９０１のＩＰアドレスとしたＩＰパケットを生成し、同パケットをネットワーク２０２によりＶｏＩＰサーバ９０１に送信する。
【０１２７】
ＶｏＩＰサーバ９０１は、受信したＩＰパケットから、あて先領域の無線タグＩＤとビル管理データベース装置２０４を読み出す。ＶｏＩＰサーバ９０１は、接続要求信号の宛先の欄に、無線タグＩＤによるあて先識別であることを示す識別子が格納されていることを識別し、無線タグ検出器管理装置２０３にアクセスして、無線タグＩＤをキーとする検索を行い、無線タグ検出器番号１１１を検出する。
【０１２８】
無線タグ検出器番号１１１を検出したＶｏＩＰサーバ９０１は、ビル管理データベース装置２０４にアクセスし、無線タグ検出器番号１１１をキーとして、無線タグ検出器の設置してある部屋の電話番号を読み出す。
【０１２９】
ＶｏＩＰサーバ９０１は、構内のＩＰ電話番号とＩＰアドレスの対応を保持しているので、対応するＩＰアドレスに対して、あて先を電話番号とする接続要求信号を送信する。
【０１３０】
以上により、第４の実施の形態において、着信者は着信できる。
【０１３１】
（第４の実施の形態における事業体の関係）
図１１は、第４の実施の形態における事業体の関係を示す図である。
通信事業者とその顧客の間には、サービス番号による通信サービスの提供と、それに対する対価としての、サービス料金の支払いが生ずる。
【０１３２】
一方、本サービスを成立させるためには、無線タグデータベース情報が必要である。通信会社は、これが自社のものでない場合、同情報を取得する代わりに、その情報提供に対する対価としての料金支払いが生ずる。また、同情報の更新には、無線タグ検出器設置事業者（第４の実施の形態においては、ビル管理会社）の協力が必要である。
【０１３３】
無線タグ検出器設置事業者は、情報提供（情報更新）を行うことで、無線タグデータベースを所有する事業体から、料金の支払いを受けられるか、あるいは、同無線タグデータベース情報を用いた種種のサービス（第４の実施の形態では、サービス番号による通信サービスの範囲に入ること）を受けられるメリットを享受する。
【０１３４】
通信会社は、ビル内での通信制御の部分をビル管理会社に移行し、ビル管理会社は当該部分に係る制御を実行する。これにより、通信会社は「通信サービスの提供」を達成し、ビル管理会社は「ビル内の管理の自由度向上」を達成する。
【０１３５】
（第５の実施の形態）
第５の実施の形態は、たとえば、ビル管理者などが、会議室に誰かが入室した場合に、この入室した人の携帯電話に連絡をする場合のように、発信者が着信者のサービス番号を知らない場合の実施の形態である点で、上記第１の実施の形態〜第４の実施の形態と相違する。
【０１３６】
第５の実施の形態の構成も、基本的には、図２〜図３、図７に示す上記第１の実施の形態〜第４の実施の形態と同じであるが、第５の実施の形態においては、図２の電話機１０７が存在しないものとする。
【０１３７】
第５の実施の形態においては、たとえば、会議室に入室する人の携帯電話に無線タグが備え付けられているものとする。
【０１３８】
図１２は、無線タグデータベース装置２０５が有する各無線タグに関するレコードを示す図である。
【０１３９】
図１２に示すように、各無線タグに関するレコードには、携帯電話の番号や機種名、無線タグ種別が格納されているが、ここで、無線タグ種別１３１は、無線タグが携帯電話に備え付けられていることを示している。
【０１４０】
以下、無線タグが備え付けられている携帯電話を持つ人（以下、「入室者」という。）が、会議室に入室している状況を例にとって、第５の実施の形態における通信のステップについて説明する。
【０１４１】
第５の実施の形態においても、通信のステップは大きく２つに分けられる。１つ目は、入室者が、会議室に入室し着席したことを無線タグ検出器が検出し、その事実をデータベースに登録するまでの通信のステップ（以下、「第５の実施の形態に係る第１のステップ」という。）であり、２つ目は、ビルの管理者などが入室者に対して、通信要求を行い、通信が実行されるまでの通信のステップ（以下、「第５の実施の形態に係る第２のステップ」という。）である。
【０１４２】
［第５の実施の形態に係る第１のステップ］
無線タグ（ＩＤ＝１２３４４６８２３３）が備え付けられた携帯電話を持つ入室者（図１３）が、図２の会議室１０１に入室し、椅子１０４に座ったとする。無線タグ検出器１１１は、入室者の携帯電話に備え付けられた無線タグ６０１を検出する。そして、無線タグ検出器１１１は、検出情報を、ネットワーク２０２を介して、無線タグ検出器管理装置２０３に「検出」通知する。
【０１４３】
無線タグ検出器管理装置２０３では、無線タグ検出器１１１からの「検出」通知を識別し、無線タグＩＤ情報を取りだし、無線タグ検出器番号と検出した無線タグ（図１０）を記憶すると共に、必要情報を書きこむべく、無線タグデータベース装置２０５にアクセスする。
【０１４４】
無線タグデータベース装置２０５にアクセスした無線タグ検出器管理装置２０３は、無線タグＩＤ（１２３４４６８２３３）をキーとして、無線タグデータベース装置２０５を検索し、該当するレコード（図１２）を参照する。
【０１４５】
そして、無線タグ検出器管理装置２０３は、無線タグ検出器番号１１１を無線タグ検出器番号の欄に書き込むとともに、無線タグ検出器番号１１１と自ら保持する図７のテーブルを参照することで得たビル管理データベース装置名（ビル管理データベース装置２０４）をビル管理データベース装置の欄に書きこむ。
【０１４６】
［第５の実施の形態に係る第２のステップ］
ビルの管理者などのユーザ（以下、「発信要求者」という。）が、会議室１０１にいる人物の携帯電話に通信したいとする。
【０１４７】
図２において、発信要求者は、自己が用いているパソコン内にある情報検索ソフトを使用し、ビル管理データベース装置２０４にアクセスし、図３の室番号から無線タグ検出器番号を取得する。次に、発信要求者は、自己が用いているパソコン内にある情報検索ソフトを使用し、無線タグ検出器管理装置２０３にアクセスし、図１０のテーブルから、取得した無線タグ検出器番号に基づき無線タグＩＤを取得する。
【０１４８】
発信要求者は、自己が用いているパソコン内にある情報検索ソフトを使用し、無線タグデータベース装置２０５にアクセスして、入室者の携帯電話機の電話番号を得る。そして、発信要求者は、この携帯電話機の電話番号にダイヤルすることにより、入室者と通信する。
【０１４９】
第５の実施の形態においては、たとえば、無線タグ検出器の検出履歴を保持することもできる。たとえば、会議室を使っていた人が忘れ物をした場合に、ビル管理者は、無線タグ検出器管理装置２０３にアクセスすることにより、会議室１０１内の無線タグ検出器の検出履歴を取得し、これにより、会議室１０１内の無線タグ検出器で、無線タグ６０１が検出されていたことを知る。
【０１５０】
ビル管理者は、無線タグデータベースにアクセスしてこの無線タグ６０１のＩＤを参照し、無線タグ６０１が備え付けられている携帯電話機の電話番号を得る。これにより、ビル管理者は、会議室１０１に入室していた者の指名やサービス番号などを知らなくても、この者に連絡を取ることができる。
【０１５１】
［第６の実施の形態］
第６の実施の形態は、本発明を、新幹線内で急病人がでた場合に適用できる旨を説明するための実施の形態である。
【０１５２】
第６の実施の形態において、新幹線の各ドアには、それぞれ無線タグ検出器が備え付けられている。各無線タグ検出器は、新幹線に乗り込む乗客に備え付けられている無線タグ（以下、「乗客無線タグ」という。）、および、これら乗客の所持品に備え付けられている無線タグ（以下、「所持品無線タグ」という。）を検出する。
【０１５３】
第６の実施の形態における無線タグデータベース装置が有する乗客無線タグに関するレコードには、乗客の氏名や職業などが格納されている。また、第６の実施の形態における無線タグデータベース装置が有する所持品無線タグに関するレコードには、所有者の氏名、所持品の種類（たとえば、口紅、飲料、薬など）や、所持品の用途（たとえば、化粧、食事、急病用など）などが格納されている。
【０１５４】
（第６の実施の形態に係る第１のステップ）
無線タグが備え付けられた乗客が新幹線に乗り込むとする。無線タグ検出器は、乗客無線タグおよび所持品無線タグを検出する。そして、無線タグ検出器は、検出情報を、無線タグ検出器管理装置に「検出」通知する。
【０１５５】
無線タグ検出器管理装置では、無線タグ検出器からの「検出」通知を識別し、無線タグＩＤ情報を取りだし、無線タグ検出器番号と検出した無線タグを記憶すると共に、必要情報を書きこむべく、無線タグデータベース装置にアクセスする。
【０１５６】
無線タグデータベース装置にアクセスした無線タグ検出器管理装置は、無線タグＩＤをキーとして、無線タグデータベース装置を検索し、該当するレコードを参照する。
【０１５７】
そして、無線タグ検出器管理装置は、無線タグ検出器番号を無線タグ検出器番号の欄に書き込むとともに、無線タグ検出器番号と自ら保持するテーブルを参照することで得た新幹線管理データベース装置名を新幹線管理データベース装置の欄に書きこむ。
【０１５８】
（第６の実施の形態に係る第２のステップ）
新幹線内で急病人が発生したとする。
この場合、車掌は、自己が所持する携帯電話やＰＤＡなどの端末内の情報検索ソフトを使用し、新幹線管理データベース装置にアクセスし、すべての無線タグ検出器番号を取得する。
【０１５９】
車掌は、自己が用いているパソコン内にある情報検索ソフトを使用し、無線タグ検出器管理装置にアクセスし、取得した複数の無線タグ検出器番号に基づき複数の無線タグＩＤを取得する。
【０１６０】
車掌は、自己が所持する携帯電話やＰＤＡなどの端末内の情報検索ソフトを使用し、無線タグデータベース装置にアクセスし、複数の無線タグＩＤをキーとして無線タグデータベースを検索し、乗客無線タグＩＤと同一のレコードに格納されている乗客の職業、および、所持品無線タグＩＤと同一のレコードに格納されている所有者の氏名、所持品の用途を取得する。
【０１６１】
したがって、第６の実施の形態によれば、車掌は、乗客の中から医師を探し出すことができ、また、急病用の薬を所持している乗客を探し出せる。
【０１６２】
［第７の実施の形態］
第７の実施の形態は、本発明を、新幹線に飛び乗った乗客がホームに落し物をしていた場合に適用できる旨を説明するための実施の形態である。
【０１６３】
第７の実施の形態においては、駅のホームの柱などに、それぞれ無線タグ検出器が備え付けられている。駅員は、乗客の落し物に備え付けられている所持品無線タグを、上記駅のホームの柱などに備え付けられている無線タグ検出器にかざす。
【０１６４】
第７の実施の形態における無線タグデータベース装置所持品無線タグに関するレコードには、所有者の氏名、所有者の連絡先などが格納されている。
【０１６５】
（第７の実施の形態に係る第１のステップ）
新幹線に飛び乗った乗客が、その飛び乗る際、所持品無線タグが備え付けられたバックをホームに落としてしまったとする。
駅員は、このバックに備え付けられた所持品無線タグを、ホームの柱などに備え付けられている無線タグ検出器にかざす。無線タグを検出した無線タグ検出器は、検出情報を、無線タグ検出器管理装置に「検出」通知する。
【０１６６】
無線タグ検出器管理装置では、無線タグ検出器からの「検出」通知を識別し、無線タグＩＤ情報を取りだし、無線タグ検出器番号と検出した無線タグを記憶すると共に、必要情報を書きこむべく、無線タグデータベース装置にアクセスする。
【０１６７】
無線タグデータベース装置にアクセスした無線タグ検出器管理装置は、無線タグＩＤをキーとして、無線タグデータベース装置を検索し、該当するレコードを参照する。
【０１６８】
そして、無線タグ検出器管理装置は、無線タグ検出器番号を無線タグ検出器番号の欄に書き込むとともに、無線タグ検出器番号と自ら保持するテーブルを参照することで得た駅管理データベース装置名を駅管理データベース装置の欄に書きこむ。
【０１６９】
（第７の実施の形態に係る第２のステップ）
落し物係の駅員は、自己が所持する携帯電話やＰＤＡなどの端末内の情報検索ソフトを使用し、駅管理データベース装置にアクセスし、すべての無線タグ検出器番号を取得する。
【０１７０】
落し物係の駅員は、自己が用いているパソコン内にある情報検索ソフトを使用し、無線タグ検出器管理装置にアクセスし、取得した複数の無線タグ検出器番号に基づき複数の無線タグＩＤを取得する。
【０１７１】
落し物係の駅員は、自己が所持する携帯電話やＰＤＡなどの端末内の情報検索ソフトを使用し、無線タグデータベース装置にアクセスし、上記複数の無線タグＩＤをキーとして、無線タグデータベースを検索し、これら無線タグＩＤと同一のレコードにそれぞれ格納されている所有者の氏名、所持品の連絡先を取得する。
【０１７２】
したがって、第７の実施の形態によれば、駅員は、ホームに落し物をした乗客の氏名、連絡先を迅速かつ容易に特定できる。
【０１７３】
［第８の実施の形態］
第８の実施の形態においては、列車の各席にそれぞれ電話が装備され、この各電話にそれぞれ無線タグ検出器が備え付けられている。
【０１７４】
したがって、第８の実施の形態においては、発信者は、着信者が列車にいることを知らなくても、着信者のサービス番号を用いることにより、着信者の席の電話に着信を行うことができる。
【０１７５】
また、第８の実施の形態によれば、たとえば、新幹線の３両目の４番Ａ席に座っていて、列車から降りた後に忘れ物に気づいた場合に、現在、その新幹線の３両目の４番Ａ席に座っている人に連絡できる。
【０１７６】
なお、第８の実施の形態は、列車において、指定席のみならず、自由席にも適用できる。
【０１７７】
［第９の実施の形態］
第９の実施の形態は、本発明を、商品を販売する場合や商品を搬入する場合に適用できる旨を説明するための実施の形態である。
【０１７８】
第９の実施の形態においては、スーパーマーケットに陳列されているすべての商品や、スーパーマーケットに搬入されるすべての商品に無線タグが備え付けられている。
また、第９の実施の形態においては、スーパーマーケットのレジや、スーパーマーケットに商品を搬入する出入り口に無線タグ検出器が備え付けられている。
【０１７９】
第９の実施の形態における無線タグデータベース装置が有する無線タグに関するレコードには、商品の名称、商品の製造年月日、商品の納入日、商品の製造元、商品の販売価格が格納されている。
【０１８０】
（第９の実施の形態に係る第１のステップ）
商品を納入する者が、無線タグ検出器が備え付けられているスーパーマーケットの出入り口から無線タグが備え付けられた商品を搬入する。
この搬入の際、スーパーマーケットの出入り口に備え付けられている無線タグ検出器は、商品に備え付けられている無線タグを検出する。無線タグ検出器は、検出情報を、無線タグ検出器管理装置に「検出」通知する。
【０１８１】
無線タグ検出器管理装置では、無線タグ検出器からの「検出」通知を識別し、無線タグＩＤ情報を取りだし、無線タグ検出器番号と検出した無線タグを記憶すると共に、必要情報を書きこむべく、無線タグデータベース装置にアクセスする。
【０１８２】
無線タグデータベース装置にアクセスした無線タグ検出器管理装置は、無線タグＩＤをキーとして、無線タグデータベース装置を検索し、該当するレコードを参照する。
【０１８３】
そして、無線タグ検出器管理装置は、前記無線タグデータベース装置の該当するレコードに、商品が店内に搬入された旨（たとえば、「１」）を書き込む。なお、商品が店内に搬入されていない場合には、上記レコードには、商品が店内に搬入されていない旨（たとえば、「０」）を書き込む。
【０１８４】
したがって、第９の実施の形態によれば、スーパーマーケットの店員は、「商品が店内に搬入されている」という条件をキーとして、無線タグデータベース装置を検索することにより、店内にどのような商品が搬入されたかを容易に調査することができる。
【０１８５】
（第９の実施の形態に係る第２のステップ）
買い物客が、無線タグが備え付けられた商品を、買い物かごにいれてレジを通したとする。この際、レジであるコンピュータ（以下、「レジコンピュータ」という。）は、自己に備え付けられている無線タグ検出器を用いて、商品に備え付けられている無線タグを検出し、この無線タグの無線タグＩＤを取得する。
【０１８６】
レジコンピュータは、無線タグデータベース装置にアクセスし、取得した複数の無線タグＩＤをキーとして無線タグデータベースを検索し、これら無線タグＩＤと同一のレコードにそれぞれ格納されている商品の販売価格を取得する。
【０１８７】
各商品の販売価格を取得したレジコンピュータは、これらの総和をとり、消費税を加えるなどした額を、ディスプレイに表示する。
【０１８８】
したがって、第９の実施の形態によれば、スーパーマーケットは、顧客に商品の総額を容易に提示することができる。
【０１８９】
【発明の効果】
以上説明したように、本発明によれば、発信者は、「ある人物と連絡をとるために、どこの端末（たとえば、当該人物がいる会議室の内の最寄りの電話、当該人物の保有する携帯電話やＰＤＡなど）に着信するか」を考えることなく、当該ある人物に着信できる。
【０１９０】
また、本発明によれば、無線タグが備え付けられている物または無線タグを有する者に関する情報を容易に取得できる。
【０１９１】
よって、本発明によれば、発信者は無線タグを有する者と容易に通信でき、サービス提供者は無線タグが備え付けられている物または無線タグを有する者に関する情報を容易に提供できる。
【０１９２】
【図面の簡単な説明】
【０１４０】
【図１】本発明の第１の実施の形態を説明する図である。
【０１４１】
【図２】本発明の実施の形態を適用した会議室１０１を示す図である。
【０１４２】
【図３】図１のビル管理データベース装置２０４が有するビル管理データベースを示す図である。
【０１４３】
【図４】図１の無線タグデータベース装置２０５が有する無線タグデータベースを示す図である。
【０１４４】
【図５】図１のサービス番号無線タグＩＤ変換データベース装置が有するサービス番号無線タグＩＤ変換データベースを示す図である。
【０１４５】
【図６】図２の会議室１０１に入出する人物に無線タグ６０１が付与されている様子を示す図である。
【０１４６】
【図７】無線タグ検出器管理データベース装置が有する無線タグ検出器管理データベースを示す図である。
【０１４７】
【図８】階層化されたサービス番号無線タグＩＤ変換データベースを示す図である。
【０１４８】
【図９】本発明の第４の実施の形態を示す図である。
【０１４９】
【図１０】無線タグ検出器管理データベースの第２の例を示す図である。
【０１５０】
【図１１】本発明の第４の実施の形態における事業体の関係を示す図である。
【０１５１】
【図１２】無線タグデータベース装置２０５が有する各無線タグに関するレコードを示す図である。
【０１５２】
【図１３】本発明の第５の実施の形態において、携帯電話を持つ入室者に無線タグが備え
付けられている様子を示す図である。
【０１５３】
【図１４】
本発明の作用を概観する図である。
【０１５４】
【符号の説明】
１０１　　会議室
１０２　　テーブル
１０３〜１０６　　椅子
１０７　　ＩＰ電話機
１０８　　ドア
１０９〜１１３　　無線タグ検出器
２０１　　無線タグ検出器
２０２　　ネットワーク
２０３　　無線タグ検出器管理装置
２０４　　ビル管理装置
２０５　　無線タグデータベース装置
２０６　　サービス番号無線タグＩＤ変換データベース装置
２０７　　個人サービス番号接続装置
２０８　　携帯電話、ＰＤＡ
２０９　　パーソナルコンピュータ
２１０　　電話網携帯電話網
２１１　　加入者電話
【図１】
2004032587.tif 000003
【図２】
2004032587.tif 000004
【図３】
2004032587.tif 000005
【図４】
2004032587.tif 000006
【図５】
2004032587.tif 000007
【図６】
2004032587.tif 000008
【図７】
2004032587.tif 000009
【図８】
2004032587.tif 000010
【図９】
2004032587.tif 000011
【図１０】
2004032587.tif 000012
【図１１】
2004032587.tif 000013
【図１２】
2004032587.tif 000014
【図１３】
2004032587.tif 000015
【図１４】
2004032587.tif 000016